(57)【特許請求の範囲】
【請求項１】
塵芥を収容する塵芥収容箱内に延焼抑制用液体を先端部に設けられた噴射口から噴射するノズルであり、前記延焼抑制用液体が供給されるホースが接続されるノズルホルダーと、前記ノズルホルダーにねじ込まれるノズル本体とからなるノズルと、
前記ノズルホルダーと前記ノズル本体との間に挟持されるカバー部材からなり、前記ノズルの噴射口の周辺部を覆うように前記噴射口よりも高い位置まで設けられた側壁であり、開孔が形成された側壁と
を有する火災延焼抑制装置。
【請求項２】
前記ノズルの先端部と前記側壁との間隔は３ｍｍ〜１５ｍｍである請求項１記載の火災延焼抑制装置。
【請求項３】
請求項１または２に記載の火災延焼抑制装置を有する塵芥収集車。
【発明の詳細な説明】
【技術分野】
【０００１】
本発明は、収集した塵芥が火種となって発生する火災の延焼を抑制する火災延焼抑制装置およびこれを備えた塵芥収集車に関する。
【背景技術】
【０００２】
収集した塵芥が火種となって発生する塵芥収集車の火災が問題となっている。従来、この塵芥収集車の火災の延焼を抑制するため、塵芥収容箱の内部天井に噴射ノズルを設け、この噴射ノズルに給水源からの水を供給して噴射させることが行われている（例えば、特許文献１〜４参照。）。また、特許文献１には、噴射ノズルの先端に噴射時の水圧により破壊可能なカバー部材を取り付けることで、塵芥による噴射ノズルの目詰まりを防止することが記載されている。
【先行技術文献】
【特許文献】
【０００３】
【特許文献１】登録実用新案第３０８４５３２号公報
【特許文献２】特開２００８−２９０８３８号公報
【特許文献３】特開２００３−９５４０４号公報
【特許文献４】特開２００３−２６３０３号公報
【発明の概要】
【発明が解決しようとする課題】
【０００４】
上述のように、特許文献１には、塵芥による噴射ノズルの目詰まりを防止するために、噴射ノズルの先端に噴射時の水圧により破壊可能なカバー部材を取り付けることが記載されているが、塵芥収容箱内に塵芥が満載され、塵芥がこのカバー部材を押圧する状態になると、噴射時の水圧によってもカバー部材が破壊されなくなってしまい、水の噴射ができなくなってしまうという問題がある。
【０００５】
そこで、本発明においては、塵芥収容箱内に塵芥が満載されている状態であっても水等の延焼抑制用液体を噴射することが可能な火災延焼抑制装置およびこれを備えた塵芥収集車を提供することを目的とする。
【課題を解決するための手段】
【０００６】
本発明の火災延焼抑制装置は、塵芥を収容する塵芥収容箱内に延焼抑制用液体を先端部に設けられた噴射口から噴射するノズルと、ノズルの噴射口の周辺部を覆うように噴射口よりも高い位置まで設けられた側壁であり、開孔が形成された側壁とを有するものである。
【０００７】
本発明の火災延焼抑制装置によれば、塵芥収容箱内に満載された塵芥は延焼抑制用液体を噴射するノズルの先端部に設けられた噴射口よりも先にその周辺部を覆うように噴射口よりも高い位置まで設けられた側壁に到達する。これにより、塵芥は側壁によってそれ以上の侵入が阻止されるので、ノズルの噴射口と塵芥との間には間隙が形成される。そして、この状態においてノズルの噴射口から延焼抑制用液体が噴射されると、延焼抑制用液体はノズルの噴射口の正面にある塵芥によって進行を妨げられるが、このノズルの噴射口の周辺部を覆う側壁に形成された開孔から側方へ噴射される。
【発明の効果】
【０００８】
本発明によれば、塵芥収容箱内に塵芥が満載されている状態であっても、ノズルの噴射口の周辺部を覆う側壁に形成された開孔から側方へ水等の延焼抑制用液体を噴射して火災の延焼を抑制することが可能となる。
【図面の簡単な説明】
【０００９】
【図１】本発明の実施の形態における塵芥収集車の内部構造を示す側面図である。
【図２】図１のノズル周辺部の拡大斜視図である。
【図３】図２の縦断面図である。
【図４】図２のノズルの分解斜視図である。
【図５】塵芥が満載された状態において図２のノズルから延焼抑制用液体が噴射される状態を示す説明図である。
【図６】カバー部材の別の例を示す斜視図である。
【発明を実施するための形態】
【００１０】
図１は本発明の実施の形態における塵芥収集車の内部構造を示す側面図である。なお、以下の説明において、前後左右の各方向は、塵芥収集車の進行（前進）方向を基準とする。
【００１１】
図１において、本発明の実施の形態における塵芥収集車１は、車体２上に塵芥収容箱３が搭載されたものである。塵芥収容箱３の後端の後方開口部３Ａには、塵芥投入箱４が連設されている。塵芥投入箱４の後部には、塵芥を投入する塵芥投入口４Ａが開口されている。塵芥投入箱４の内部には、塵芥投入口４Ａから投入された塵芥を、後方開口部３Ａを経て塵芥収容箱３に積み込む回転式の塵芥積込装置５が備えられている。
【００１２】
塵芥積込装置５は、車体２の前後方向に揺動する押込板２０と、この押込板２０の下端付近に回転中心を有して正逆転する回転板２１とを備える。押込板２０は、塵芥投入箱４の幅方向全体に亘って延設され、かつ塵芥収容箱３の後方開口部３Ａに対向するように配設されている。この押込板２０の上部は、塵芥投入箱４の左右両側壁の中央付近の中心軸２０Ａよりも上方に延びる延設部２０Ｂが設けられている。延設部２０Ｂの先端には、左右一対の押込シリンダ２２の先端が連設されている。この押込シリンダ２２の伸縮動作により、押込板２０が中心軸２０Ａ周りに車体２の前後方向に揺動するようになっている。
【００１３】
回転板２１は、押込板２０の下側に設けられている。回転板２１は、押込板２０の下端付近に回転中心としての回転軸２１Ａを有し、塵芥投入箱４の断面略半円弧状に形成された底壁４Ｄに沿って回転軸２１Ａ周りに回転するように構成されている。
【００１４】
また、塵芥投入箱４内には、塵芥積込装置５の上部の押込シリンダ２２の下側と塵芥収容箱３の後方開口部３Ａ側とを仕切る仕切板６が設けられている。仕切板６は、塵芥投入箱４の幅方向全体に亘って設けられている。この仕切板６によって、塵芥投入箱４内は、塵芥積込装置５の押込シリンダ２２が収容される側である機械室４Ｂと、塵芥収容箱３の後方開口部３Ａへ塵芥が投入される側である塵芥室４Ｃとに区分されている。
【００１５】
また、本実施形態における塵芥収集車１には、塵芥収容箱３の上壁および仕切板６の下面に、延焼抑制用液体Ｗを噴射する火災延焼抑制装置としてのノズル８が設けられている。また、仕切板６の機械室４Ｂ側の上方にも、仕切板６の上面に向けて水や不燃性液等の延焼抑制用液体Ｗを噴射する火災延焼抑制装置としてのノズル９が設けられている。ノズル９は、仕切板６の幅方向全体に亘って満遍なく延焼抑制用液体Ｗが散布されるように、水平方向に複数設けられている。
【００１６】
図２は図１のノズル８の周辺部の拡大斜視図、図３は図２の縦断面図、図４は図２のノズル８の分解斜視図である。ノズル８は、図２〜図４に示すように、延焼抑制用液体Ｗが供給されるホース１０が接続されるノズルホルダー１１と、ノズルホルダー１１にねじ込まれるノズル本体１２とからなる。ノズルホルダー１１には雌ねじ１１Ａが、ノズル本体１２には雌ねじ１１Ａにねじ込まれる雄ねじ１２Ａが、それぞれ形成されている。ノズル本体１２の先端部には、延焼抑制用液体Ｗが噴射される噴射口８Ａが設けられている。
【００１７】
また、ノズルホルダー１１とノズル本体１２との間にはカバー部材１３が挟持される。カバー部材１３は、ノズル８の噴射口８Ａの周辺部を覆うように噴射口８Ａよりも高い位置まで設けられた円筒状の側壁１４Ａと、ノズル本体１２の雄ねじ１１Ａが挿通され、ノズルホルダー１１とノズル本体１２とに挟持される底板１４Ｂとからなる。側壁１４Ａには、複数の開孔１４Ｃが形成されている。
【００１８】
塵芥収容箱３内で火災が発生した際、上記構成のノズル８の噴射口８Ａから塵芥収容箱３内に延焼抑制用液体Ｗが噴射されるが、図５に示すように塵芥収容箱内に満載された塵芥Ｄがカバー部材１３の側壁１４Ａに到達した場合、延焼抑制用液体Ｗは噴射口８Ａの正面にある塵芥によって進行を妨げられる。
【００１９】
しかしながら、本実施形態におけるノズル８では、塵芥Ｄはカバー部材１３の側壁１４Ａによってそれ以上の侵入が阻止され、ノズル８の噴射口８Ａと塵芥Ｄとの間には間隙１５が形成される。そのため、この状態においてノズル８の噴射口８Ａから噴射された延焼抑制用液体Ｗは、この間隙１５を通じて側壁１４Ａの複数の開孔１４Ｃから側方へ噴射されることになり、火災の延焼を抑制することが可能である。
【００２０】
なお、本実施形態におけるノズル８では、先端部と側壁１４Ａとの間隙１６は３ｍｍ〜１５ｍｍ程度としているが、これは収集される塵芥の種類に応じて、収集された塵芥がこの間隙１６内に入り込まない程度に適宜設定される。また、ノズル８の噴射口８Ａと側壁１４Ａの先端までの間隙１５についても同程度としている。
【００２１】
また、図６に示すように、複数のノズル８を１つのカバー部材１７に取り付けた構成とすることも可能である。カバー部材１７は溝形鋼からなり、その側壁１７Ａは、複数のノズル８の噴射口８Ａの周辺部を覆うように噴射口８Ａよりも高い位置まで存在する。また、側壁１７Ａには複数の開孔１７Ｂが設けられている。
【００２２】
この構成においても、前述と同様に塵芥Ｄはカバー部材１７の側壁１７Ａによってそれ以上の侵入が阻止され、延焼抑制用液体Ｗはノズル８の噴射口８Ａと塵芥Ｄとの間に形成された間隙を通じて側壁１７Ａの複数の開孔１７Ｂから側方へ噴射されることになり、火災の延焼を抑制することが可能である。
【００２３】
また、この場合には、延焼抑制用液体Ｗはカバー部材１７の側壁１７Ａと側壁１７Ａとの間を、カバー部材１７の延びる方向、すなわち複数のノズル８が並ぶ方向にも進行するので、より広範囲に延焼抑制用液体Ｗを供給することが可能となっている。
【００２４】
なお、上記実施形態においては、回転式の塵芥積込装置５を備えた塵芥収集車１について説明したが、圧縮式の塵芥積込装置を備えた塵芥収集車にも同様に適用することが可能である。
【産業上の利用可能性】
【００２５】
本発明の火災延焼抑制装置およびこれを備えた塵芥収集車は、収集した塵芥が火種となって発生する火災の延焼を抑制する装置として有用である。
【符号の説明】
【００２６】
Ｗ  延焼抑制用液体
１  塵芥収集車
２  車体
３  塵芥収容箱
３Ａ  後方開口部
４  塵芥投入箱
４Ａ  塵芥投入口
４Ｂ  機械室
４Ｃ  塵芥室
４Ｄ  底壁
５  塵芥積込装置
６  仕切板
８，９  ノズル
８Ａ  噴射口
１０  ホース
１１  ノズルホルダー
１２  ノズル本体
１３，１７  カバー部材
１４Ａ，１７Ａ  側壁
１４Ｂ  底板
１４Ｃ，１７Ｂ  開孔
２０  押込板
２０Ａ  中心軸
２０Ｂ  延設部
２１  回転板
２２  押込シリンダ
【要約】
【課題】塵芥収容箱内に塵芥が満載されている状態であっても水等の延焼抑制用液体を噴射することが可能な火災延焼抑制装置およびこれを備えた塵芥収集車の提供。
【解決手段】塵芥を収容する塵芥収容箱内に延焼抑制用液体を先端部に設けられた噴射口８Ａから噴射するノズル８と、ノズル８の噴射口８Ａの周辺部を覆うように噴射口８Ａよりも高い位置まで設けられた側壁１４Ａであり、開孔１４Ｃが形成された側壁１４Ａとを有し、塵芥収容箱内に満載された塵芥はカバー部材１３の側壁１４Ａによってそれ以上の侵入が阻止され、ノズル８の噴射口８Ａから噴射された延焼抑制用液体はノズル８の噴射口８Ａと塵芥との間に形成された間隙１５を通じて側壁１４Ａの複数の開孔１４Ｃから側方へ噴射される。
【選択図】図２【図１】
0005956048.tif 000002
【図２】
0005956048.tif 000003
【図３】
0005956048.tif 000004
【図４】
0005956048.tif 000005
【図５】
0005956048.tif 000006
【図６】
0005956048.tif 000007